(57)【要約】【課題】ケーブル製造時における捻れを防止して対撚り線心を隔壁部の間に固定し易くさせるとともに、柔軟性を向上させたＵＴＰケーブル用介在及び該介在を挿入したＵＴＰケーブルを提供する。【解決手段】複数本の対撚り線心６をまとめて外被７で被覆して構成したＵＴＰケーブル５の対撚り線心６間に、ケーブル全長に渡って挿入され、略中心部２から遠心方向に向かって延びて形成される複数の隔壁部３によって各対撚り線心６間の距離を一定以上に離隔するＵＴＰケーブル用介在１であって、略中心部２に、繊維質の線状体４をケーブル全長に渡って長手方向に設けた。【選択図】  図２
2004362907.tif 000002
【特許請求の範囲】
【請求項１】
複数本の対撚り線心をまとめて外被で被覆して構成したＵＴＰケーブルの前記対撚り線心間に、ケーブル全長に渡って挿入され、略中心部から遠心方向に向かって延びて形成される複数の隔壁部によって前記各対撚り線心間の距離を一定以上に離隔するＵＴＰケーブル用介在であって、
前記略中心部に、繊維質の線状体をケーブル全長に渡って長手方向に設けたことを特徴とするＵＴＰケーブル用介在。
【請求項２】
前記略中心部を肉厚に形成したことを特徴とする請求項１に記載のＵＴＰケーブル用介在。
【請求項３】
前記隔壁部の先端部を肉厚に形成したことを特徴とする請求項１又は２に記載のＵＴＰケーブル用介在。
【請求項４】
複数本の対撚り線心を有し、略中心部から遠心方向に向かって延びて形成される複数の隔壁部によって前記各対撚り線心間の距離を一定以上に離隔するＵＴＰケーブル用介在を、前記複数本の対撚り線心間にケーブル全長に渡って挿入した上に、外被を被覆して構成したＵＴＰケーブルであって、
前記ＵＴＰケーブル用介在の前記略中心部には、繊維質の線状体をケーブル全長に渡って長手方向に設けたことを特徴とするＵＴＰケーブル。
【請求項５】
前記ＵＴＰケーブル用介在の略中心部を肉厚に形成したことを特徴とする請求項４に記載のＵＴＰケーブル。
【請求項６】
前記ＵＴＰケーブル用介在の隔壁部の先端を肉厚に形成したことを特徴とする請求項４又は５に記載のＵＴＰケーブル。
【発明の詳細な説明】
【０００１】
【発明の属する技術分野】
本発明は、電気的特性を向上させるために、ＵＴＰ（Ｕｎｓｈｉｅｌｄｅｄ  Ｔｗｉｓｔ−Ｐａｉｒ：非シールド対撚り線）ケーブルの対撚り線心間に挿入されるＵＴＰケーブル用介在及びＵＴＰケーブルに関する。
【０００２】
【従来の技術】
ＬＡＮ（Ｌｏｃａｌ  Ａｒｅａ  Ｎｅｔｗｏｒｋ）の配線には、米国電子工業会／米国通信工業会（ＥＩＡ／ＴＩＡ）−５６８Ａで規格された、対間にシールドを介在させないＵＴＰケーブルが用いられている。
【０００３】
かかるＵＴＰケーブルは、導体の上にポリエチレンなどの絶縁体を被覆した絶縁線心を２本撚り合わせて形成された複数本の対撚り線心の上に外被を被覆して構成されている。
【０００４】
このような構成を有するＵＴＰケーブルは、複数種に分類されているが、このうち、超高速ＬＡＮに対応するカテゴリー６ケーブルにおいて、対間の近端漏話特性、特性インピーダンス、反射減衰量特性を向上させるため、対撚り線心間に介在を挿入したＵＴＰケーブルが知られている（例えば、特許文献１参照。）。かかる介在を挿入したＵＴＰケーブルの一例を図７に示す。
【０００５】
図に示したＵＴＰケーブル２０は、導体２１の上に絶縁体２２を被覆した絶縁線心２３を２本撚り合わせて形成された４本の対撚り線心２４間に、断面十字形の介在２５を挿入し、その上に外被２６を被覆することにより構成されている。
【０００６】
かかるＵＴＰケーブル２０においては、介在２５の隔壁部２７によって各対撚り線心２４間の距離が一定以上に離隔されるので対間の近端漏話特性が向上する。また、隔壁部２７の間に対撚り線心２４が入り、その位置が固定されるため、特性インピーダンスや反射減衰量特性が向上する。
【０００７】
【特許文献１】
特開平１１−５３９５８号公報（第２−３頁、第１図乃至第３図）
【０００８】
【発明が解決しようとする課題】
しかしながら、このように対撚り線心間に介在を挿入したＵＴＰケーブルにおいては、対間の近端漏話特性、特性インピーダンス、反射減衰量特性が向上するものの、対撚り線心間に介在を挿入してその上に外被を被覆してケーブルを製造する際に、介在が略中心部を軸として捻れて対撚り線心が隔壁部の間から外れてしまうおそれがある。また、このような介在を有するケーブルは、可撓性が低下するおそれもある。
【０００９】
本発明の目的は、ケーブル製造時における捻れを防止して対撚り線心を隔壁部の間に固定し易くさせるとともに、柔軟性を向上させたＵＴＰケーブル用介在及び該介在を挿入したＵＴＰケーブルを提供することにある。
【００１０】
【課題を解決するための手段】
上記目的を達成するために、請求項１に記載の発明は、複数本の対撚り線心をまとめて外被で被覆して構成したＵＴＰケーブルの前記対撚り線心間に、ケーブル全長に渡って挿入され、略中心部から遠心方向に向かって延びて形成される複数の隔壁部によって前記各対撚り線心間の距離を一定以上に離隔するＵＴＰケーブル用介在であって、前記略中心部に、繊維質の線状体をケーブル全長に渡って長手方向に設けたことを特徴とする。
【００１１】
かかる構成により、ケーブル製造時にＵＴＰケーブル用介在が略中心部を軸として捻れると、これに伴い、ＵＴＰケーブル用介在の略中心部に設けた繊維質の線状体も捻れを起こす。しかし、捻れた繊維質の線状体には、元に戻ろうとする復元力が働く。このような復元力により、いったん捻れた繊維質の線状体が元に戻ると、これに伴い、ＵＴＰケーブル用介在の捻れも元に戻る。すなわち、ＵＴＰケーブル用介在の略中心部に設けた繊維質の線状体の捻れが復元力によって元に戻ると、これに伴い、略中心部にかかる線状体を設けたＵＴＰケーブル用介在の略中心部を軸とする捻れも元に戻る。これにより、対撚り線心をＵＴＰケーブル用介在の隔壁部の間に固定し易くなる。さらに、前記線状体の材質は繊維質であり柔軟性に優れているので、これをＵＴＰケーブル用介在の略中心部に設けることにより、ＵＴＰケーブル用介在の柔軟性が向上する。したがって、このようなＵＴＰケーブル用介在を挿入したＵＴＰケーブルは、前記線状体を有しない介在を挿入したＵＴＰケーブルに比べてその可撓性が向上する。
【００１２】
請求項２に記載の発明は、請求項１に記載の前記略中心部を肉厚に形成したことを特徴とする。
【００１３】
かかる構成により、略中心部が肉厚に形成されたＵＴＰケーブル用介在は、ケーブル製造時にさらに捻れにくくなる。また、ＵＴＰケーブル用介在は、略中心部を肉厚に形成しても該略中心部に繊維質の線状体を設けているので柔軟性が向上し、かかるＵＴＰケーブル用介在を挿入したＵＴＰケーブルは、前記線状体を有しない介在を挿入したＵＴＰケーブルに比べて可撓性が向上する。
【００１４】
請求項３に記載の発明は、請求項１又は２に記載の前記隔壁部の先端部を肉厚に形成したことを特徴とする。
【００１５】
かかる構成により、略中心部に繊維質の線状体を設けて対撚り線心を隔壁部の間に固定し易くしたＵＴＰケーブル用介在の隔壁部の先端部を肉厚に形成したので、さらに対撚り線心を隔壁部の間に固定し易くなる。
【００１６】
請求項４に記載の発明は、複数本の対撚り線心を有し、略中心部から遠心方向に向かって延びて形成される複数の隔壁部によって前記各対撚り線心間の距離を一定以上に離隔するＵＴＰケーブル用介在を、前記複数本の対撚り線心間にケーブル全長に渡って挿入した上に、外被を被覆して構成したＵＴＰケーブルであって、前記ＵＴＰケーブル用介在の前記略中心部には、繊維質の線状体をケーブル全長に渡って長手方向に設けたことを特徴とする。
【００１７】
かかる構成により、対撚り線心をＵＴＰケーブル用介在の隔壁部の間に固定し易く、また、前記線状体を有しない介在を挿入したＵＴＰケーブルに比べて可撓性が向上したＵＴＰケーブルとなる。
【００１８】
請求項５に記載の発明は、請求項４に記載の前記ＵＴＰケーブル用介在の略中心部を肉厚に形成したことを特徴とする。
【００１９】
かかる構成により、複数本の対撚り線心間に挿入されるＵＴＰケーブル用介在がさらに捻れにくくなったＵＴＰケーブルとなる。また、ＵＴＰケーブル用介在の略中心部を肉厚に形成しても、該略中心部には繊維質の線状体を設けているので、ＵＴＰケーブル用介在の柔軟性が向上し、かかるＵＴＰケーブル用介在を挿入したＵＴＰケーブルは、前記線状体を有しない介在を挿入したＵＴＰケーブルに比べて可撓性が向上する。
【００２０】
請求項６に記載の発明は、請求項４又は５に記載の前記ＵＴＰケーブル用介在の隔壁部の先端を肉厚に形成したことを特徴とする。
【００２１】
かかる構成により、略中心部に繊維質の線状体を設けて対撚り線心を隔壁部の間に固定し易くしたＵＴＰケーブル用介在の隔壁部の先端部を肉厚に形成したので、対撚り線心を隔壁部の間にさらに固定し易くしたＵＴＰケーブルとなる。
【００２２】
【発明の実施の形態】
以下、本発明に係るＵＴＰケーブル用介在の実施の形態の第１例について説明する。
図１は、本例のＵＴＰケーブル用介在の断面図である。
【００２３】
図において、１は複数本の対撚り線心をまとめて外被で被覆して構成される後述のＵＴＰケーブルの前記対撚り線心間に、ケーブル全長に渡って挿入されるＵＴＰケーブル用介在である。
【００２４】
このＵＴＰケーブル用介在１は、例えばポリエチレンやポリ塩化ビニル等の樹脂で成形され、略中心部２から遠心方向に向かって延びて形成される隔壁部３を複数有している。本例では隔壁部３は４つ形成されており、ＵＴＰケーブル用介在１は、その断面が十字形となっている。
【００２５】
このようなＵＴＰケーブル用介在１の前記略中心部２には、線状体４がケーブル全長に渡って長手方向に設けられている。線状体４は繊維質となっており、例えばテトロン、ナイロン、綿等で、可撓性及び柔軟性に優れている。かかる線状体４は、略中心部２においてＵＴＰケーブル用介在１と一体に設けられている。このように線状体４をＵＴＰケーブル用介在１の略中心部２にＵＴＰケーブル用介在１と一体に設ける方法としては、例えば、線状体４の周りに、ＵＴＰケーブル用介在１を形成する樹脂等を押し出して成形する方法が考えられる。
【００２６】
図２に、このようなＵＴＰケーブル用介在１を挿入したＵＴＰケーブルの一例を示す。
図に示したＵＴＰケーブル５は、４本の対撚り線心６とＵＴＰケーブル用介在１と外被７とを有して構成されている。
【００２７】
前記対撚り線心６は導体８の上に絶縁体９を被覆して形成される絶縁線心１０を２本撚り合わせて形成されている。そして、このようにして形成される４本の対撚り線心６間に、ＵＴＰケーブル用介在１をケーブル全長に渡って挿入し、その上に外被７を被覆してＵＴＰケーブル５が構成されている。
【００２８】
これにより、各対撚り線心６がＵＴＰケーブル用介在１の隔壁部３の間に入って固定され、隔壁部３によって各対撚り線心６間の距離が一定以上に離隔されている。
【００２９】
前記のようなＵＴＰケーブル用介在１及びかかるＵＴＰケーブル用介在１が挿入されたＵＴＰケーブルにおいては、対撚り線心６間にＵＴＰケーブル用介在１を挿入してその上に外被７を被覆してケーブルを製造する際に、ＵＴＰケーブル用介在１が捻れると、これに伴い、ＵＴＰケーブル用介在１の略中心部２に設けた繊維質の線状体４も捻れを起こす。しかし、捻れた繊維質の線状体４には、元に戻ろうとする復元力が働く。この復元力は、線状体４の材質が繊維質であることから、樹脂で成形されているＵＴＰケーブル用介在１の復元力よりも強いものである。そして、このような復元力により、いったん捻れた繊維質の線状体４が元に戻ると、これに伴い、略中心部２にかかる線状体４を一体に設けたＵＴＰケーブル用介在１の略中心部２を軸とする捻れも元に戻る。したがって、対撚り線心６をＵＴＰケーブル用介在１の隔壁部３の間に固定し易い。さらに、かかる線状体４の材質は繊維質であり柔軟性に優れているので、これをＵＴＰケーブル用介在１の略中心部２に設けることにより、ＵＴＰケーブル用介在１の柔軟性が向上する。したがって、このようなＵＴＰケーブル用介在１を挿入したＵＴＰケーブル５は、前記線状体を有しない介在を挿入したＵＴＰケーブルに比べてその可撓性が向上する。
【００３０】
次に本発明に係るＵＴＰケーブル用介在の実施の形態の第２例について説明する。
図３は、本例のＵＴＰケーブル用介在の断面図である。
【００３１】
図に示した本例のＵＴＰケーブル用介在１１は、その略中心部２が肉厚に形成されており、隔壁部３の根本が肉厚となっていて曲面が形成されている。そして、このように肉厚に形成された略中心部２に前記繊維質の線状体４がケーブル全長に渡って長手方向に設けられている。その他の構成については上記実施の形態の第１例と同様である。
【００３２】
図４にこのようなＵＴＰケーブル用介在１１を挿入したＵＴＰケーブルの一例を示す。
図に示したＵＴＰケーブル１２は、略中心部２が肉厚に形成されている前記ＵＴＰケーブル用介在１１を対撚り線心６間に挿入し、その上に外被７を被覆して構成されている。隔壁部３の間の対撚り線心６は、隔壁部３の根本に形成された曲面により隔壁部３の間に安定して固定されている。その他の構成は、図２に示したＵＴＰケーブル５と同様の構成となっており、対応する部分には同一の符号を付けて示している。
【００３３】
上記したようなＵＴＰケーブル用介在１１によれば、略中心部２が肉厚に形成されているので、ケーブル製造時にさらに捻れにくくなる。また、ＵＴＰケーブル用介在１１は、略中心部２を肉厚としても該略中心部２に繊維質の線状体４を設けたので柔軟性が向上し、かかるＵＴＰケーブル用介在１１を挿入したＵＴＰケーブル１２は、前記線状体４を有しない介在を挿入したＵＴＰケーブルに比べて可撓性が向上する。
【００３４】
次に本発明に係るＵＴＰケーブル用介在の実施の形態の第３例について説明する。
図５は、本例のＵＴＰケーブル用介在の断面図である。
【００３５】
図に示した本例のＵＴＰケーブル用介在１３は、隔壁部３の先端部１４が肉厚に形成されている。これにより、隔壁部３の先端部１４には曲面が形成されている。その他の構成については上記実施の形態の第１例と同様である。
【００３６】
図６にこのようなＵＴＰケーブル用介在１３を挿入したＵＴＰケーブルの一例を示す。
図に示したＵＴＰケーブル１５は、先端部１４が肉厚に形成されている前記ＵＴＰケーブル用介在１３を対撚り線心６間に挿入し、その上に外被７を被覆して構成されている。隔壁部３の間の対撚り線心６は、隔壁部３の先端部１４が肉厚に形成され曲面が形成されているので隔壁部３の間に安定して固定されている。その他の構成は、図２に示したＵＴＰケーブル５と同様の構成となっており、対応する部分には同一の符号を付けて示している。
【００３７】
前記のようなＵＴＰケーブル用介在１３及びこのＵＴＰケーブル用介在を挿入したＵＴＰケーブル１５によれば、略中心部２に繊維質の線状体４を設けて捻れにくくすることにより対撚り線心６を隔壁部３の間に固定し易くしたＵＴＰケーブル用介在１３の隔壁部３の先端部１４が肉厚となっているので、さらに対撚り線心６を隔壁部３の間に固定し易くなる。
【００３８】
【発明の効果】
以上説明したように請求項１に係る発明によれば、ケーブル製造時にＵＴＰケーブル用介在が略中心部を軸として捻れても、略中心部に設けた繊維質の線状体により、ＵＴＰケーブル用介在の捻れが元に戻るので、対撚り線心をＵＴＰケーブル用介在の隔壁部の間に固定し易くなる。さらに、ＵＴＰケーブル用介在の柔軟性が向上するので、このようなＵＴＰケーブル用介在を挿入したＵＴＰケーブルは、前記線状体を有しない介在を挿入したＵＴＰケーブルに比べてその可撓性が向上する。
【００３９】
請求項２に記載の発明によれば、ケーブル製造時にＵＴＰケーブル用介在がさらに捻れにくくなるとともに柔軟性が向上し、かかるＵＴＰケーブル用介在を挿入したＵＴＰケーブルは、前記線状体を有しない介在を挿入したＵＴＰケーブルに比べて可撓性が向上する。
【００４０】
請求項３に記載の発明によれば、さらに対撚り線心を隔壁部の間に固定し易くなる。
【００４１】
請求項４に記載の発明によれば、対撚り線心をＵＴＰケーブル用介在の隔壁部の間に固定し易く、また、前記線状体を有しない介在を挿入したＵＴＰケーブルに比べて可撓性が向上したＵＴＰケーブルとなる。
【００４２】
請求項５に記載の発明によれば、複数本の対撚り線心間に挿入されるＵＴＰケーブル用介在がさらに捻れにくくなったＵＴＰケーブルとなる。また、ＵＴＰケーブル用介在の柔軟性が向上し、かかるＵＴＰケーブル用介在を挿入したＵＴＰケーブルは、前記線状体を有しない介在を挿入したＵＴＰケーブルに比べて可撓性が向上する。
【００４３】
請求項６に記載の発明によれば、対撚り線心を隔壁部の間にさらに固定し易くしたＵＴＰケーブルとなる。
【図面の簡単な説明】
【図１】本発明に係るＵＴＰケーブル用介在の実施の形態の第１例を示す断面図。
【図２】図１に示すＵＴＰケーブル用介在を挿入したＵＴＰケーブルを示す断面図。
【図３】本発明に係るＵＴＰケーブル用介在の実施の形態の第２例を示す断面図。
【図４】図３に示すＵＴＰケーブル用介在を挿入したＵＴＰケーブルを示す断面図。
【図５】本発明に係るＵＴＰケーブル用介在の実施の形態の第３例を示す断面図。
【図６】図５に示すＵＴＰケーブル用介在を挿入したＵＴＰケーブルを示す断面図。
【図７】従来のＵＴＰケーブル用介在を挿入したＵＴＰケーブルを示す断面図。
【符号の説明】
１，１１，１３  ＵＴＰケーブル用介在
２              略中心部
３              隔壁部
４              線状体
５，１２，１５  ＵＴＰケーブル
６              対撚り線心
７              外被
１４            先端部
【図１】
2004362907.tif 000003
【図２】
2004362907.tif 000004
【図３】
2004362907.tif 000005
【図４】
2004362907.tif 000006
【図５】
2004362907.tif 000007
【図６】
2004362907.tif 000008
【図７】
2004362907.tif 000009